(57)【要約】【課題】通話端末において、着信音を表す音楽データまたは音楽データを表す情報を発呼側から着呼側に指定して該音楽データを着呼側で再生することができる。【解決手段】呼設定のための呼設定情報を着呼側に送信し、呼設定情報を発呼側から受信する呼設定情報送受信手段１０１と、呼設定情報送受信手段１０１によって送信される呼設定情報に音楽データを添付する音楽データ添付手段１０２と、呼設定情報送受信手段１０１によって受信された呼設定情報に添付された音楽データに基づいた着信音を再生する再生手段１０３とによって構成される。【選択図】  図１
2004312316.tif 000002
【特許請求の範囲】
【請求項１】
呼設定のための呼設定情報を着呼側に送信し、前記呼設定情報を発呼側から受信する呼設定情報送受信手段と、
前記呼設定情報送受信手段によって送信される前記呼設定情報に音楽データを添付する音楽データ添付手段と、
前記呼設定情報送受信手段によって受信された前記呼設定情報に添付された音楽データに基づいた着信音を再生する再生手段とを備えたことを特徴とする通話端末。
【請求項２】
呼設定のための呼設定情報に応答するための応答情報を発呼側に送信し、前記応答情報を着呼側から受信する呼設定情報送受信手段と、
前記応答情報に音楽データを添付する音楽データ添付手段と、
前記呼設定情報送受信手段によって受信された前記応答情報に添付された音楽データに基づいた呼出中音を再生する再生手段とを備えたことを特徴とする通話端末。
【請求項３】
呼設定のための呼設定情報を着呼側に送信し、前記呼設定情報を発呼側から受信する呼設定情報送受信手段と、
前記呼設定情報送受信手段によって送信される前記呼設定情報に音楽データを取得するための情報サイトを表す情報を添付する情報添付手段と、
前記呼設定情報送受信手段によって受信された前記呼設定情報に添付された音楽データを取得するための情報サイトを表す情報に基づいて前記情報サイトから音楽データを取得する音楽データ取得手段と、
前記音楽データ取得手段によって取得された音楽データに基づいた着信音を再生する再生手段とを備えたことを特徴とする通話端末。
【請求項４】
呼設定のための呼設定情報に応答するための応答情報を発呼側に送信し、前記応答情報を着呼側から受信する呼設定情報送受信手段と、
前記呼設定情報送受信手段によって送信される前記応答情報に音楽データを取得するための情報サイトを表す情報を添付する情報添付手段と、
前記呼設定情報送受信手段によって受信された前記応答情報に添付された音楽データを取得するための情報サイトを表す情報に基づいて前記情報サイトから音楽データを取得する音楽データ取得手段と、
前記音楽データ取得手段によって取得された音楽データに基づいた呼出中音を再生する再生手段とを備えたことを特徴とする通話端末。
【請求項５】
呼設定のための呼設定情報を着呼側に送信し、前記呼設定情報を発呼側から受信する呼設定情報送受信手段と、
前記呼設定情報を受信したときに発呼側に音楽データを送信するよう要求する音楽データ要求手段と、
着呼側からの前記要求に応じて音楽データを着呼側に送信し、発呼側から送信された音楽データを受信する音楽データ送受信手段と、
前記音楽データ送受信手段によって受信された音楽データに基づいた着信音を再生する再生手段とを備えたことを特徴とする通話端末。
【請求項６】
呼設定のための呼設定情報に応答するための応答情報を発呼側に送信し、前記応答情報を着呼側から受信する呼設定情報送受信手段と、
前記応答情報を受信したときに着呼側に音楽データを送信するよう要求する音楽データ要求手段と、
発呼側からの前記要求に応じて音楽データを発呼側に送信し、着呼側から送信された音楽データを受信する音楽データ送受信手段と、
前記音楽データ送受信手段によって受信された音楽データに基づいた呼出中音を再生する再生手段とを備えたことを特徴とする通話端末。
【請求項７】
自端末の識別情報と音楽データとを関連付けてサーバ装置に登録する情報登録手段と、
前記識別情報を含む呼設定のための呼設定情報を着呼側に送信し、前記呼設定情報を発呼側から受信する呼設定情報送受信手段と、
発呼側から送信された前記呼設定情報に含まれる発呼側の前記識別情報を前記サーバ装置に送信して、前記サーバ装置に発呼側の前記識別情報に関連付けられて登録された音楽データを送信するよう前記サーバ装置に要求する音楽データ要求手段と、
前記サーバ装置によって送信される音楽データを受信する音楽データ受信手段と、
前記音楽データ受信手段によって受信された音楽データに基づいた着信音を再生する再生手段とを備えたことを特徴とする通話端末。
【請求項８】
自端末の識別情報と音楽データとを関連付けてサーバ装置に登録する情報登録手段と、
前記識別情報を含む呼設定のための呼設定情報を着呼側に送信し、前記呼設定情報を発呼側から受信する呼設定情報送受信手段と、
着呼側から送信された前記呼設定情報に含まれる着呼側の前記識別情報をサーバ装置に送信して、前記サーバ装置に着呼側の前記識別情報に関連付けられて登録された音楽データを送信するよう前記サーバ装置に要求する音楽データ要求手段と、
前記サーバ装置によって送信される音楽データを受信する音楽データ受信手段と、
前記音楽データ受信手段によって受信された音楽データに基づいた呼出中音を再生する再生手段とを備えたことを特徴とする通話端末。
【請求項９】
前記サーバ装置は、
通話端末の識別情報と音楽データとを関連付けて記憶する情報記憶手段と、
通話端末からの要求に応じて前記情報記憶手段に記憶された音楽データを前記要求とともに送信される識別情報に基づいて検索する音楽データ検索手段と、
前記音楽データ検索手段によって検索された音楽データを前記要求を行った通話端末に送信する音楽データ送信手段とを備えたことを特徴とする請求項７または請求項８に記載の通話端末。
【請求項１０】
請求項７または請求項８に記載の複数の通話端末と、請求項９に記載のサーバ装置とを備えたことを特徴とする通話システム。
【請求項１１】
呼設定のための呼設定情報を着呼側に送信し、前記呼設定情報を発呼側から受信する呼設定情報送受信過程と、
前記呼設定情報送受信過程によって送信される前記呼設定情報に音楽データを添付する音楽データ添付過程と、
前記呼設定情報送受信過程によって受信された前記呼設定情報に添付された音楽データに基づいた着信音を再生する再生過程とを備えたことを特徴とする通話端末の着信／呼出中音再生方法。
【請求項１２】
呼設定のための呼設定情報に応答するための応答情報を発呼側に送信し、前記応答情報を着呼側から受信する呼設定情報送受信過程と、
前記応答情報に音楽データを添付する音楽データ添付過程と、
前記呼設定情報送受信過程によって受信された前記応答情報に添付された音楽データに基づいた呼出中音を再生する再生過程とを備えたことを特徴とする通話端末の着信／呼出中音再生方法。
【請求項１３】
呼設定のための呼設定情報を着呼側に送信し、前記呼設定情報を発呼側から受信する呼設定情報送受信過程と、
前記呼設定情報送受信過程によって送信される前記呼設定情報に音楽データを取得するための情報サイトを表す情報を添付する情報添付過程と、
前記呼設定情報送受信過程によって受信された前記呼設定情報に添付された音楽データを取得するための情報サイトを表す情報に基づいて前記情報サイトから音楽データを取得する音楽データ取得過程と、
前記音楽データ取得過程によって取得された音楽データに基づいた着信音を再生する再生過程とを備えたことを特徴とする通話端末の着信／呼出中音再生方法。
【請求項１４】
呼設定のための呼設定情報に応答するための応答情報を発呼側に送信し、前記応答情報を着呼側から受信する呼設定情報送受信過程と、
前記呼設定情報送受信過程によって送信される前記応答情報に音楽データを取得するための情報サイトを表す情報を添付する情報添付過程と、
前記呼設定情報送受信過程によって受信された前記応答情報に添付された音楽データを取得するための情報サイトを表す情報に基づいて前記情報サイトから音楽データを取得する音楽データ取得過程と、
前記音楽データ取得過程によって取得された音楽データに基づいた呼出中音を再生する再生過程とを備えたことを特徴とする通話端末の着信／呼出中音再生方法。
【請求項１５】
呼設定のための呼設定情報を着呼側に送信し、前記呼設定情報を発呼側から受信する呼設定情報送受信過程と、
前記呼設定情報を受信したときに発呼側に音楽データを送信するよう要求する音楽データ要求過程と、
着呼側からの前記要求に応じて音楽データを着呼側に送信し、発呼側から送信された音楽データを受信する音楽データ送受信過程と、
前記音楽データ送受信過程によって受信された音楽データに基づいた着信音を再生する再生過程とを備えたことを特徴とする通話端末の着信／呼出中音再生方法。
【請求項１６】
呼設定のための呼設定情報に応答するための応答情報を発呼側に送信し、前記応答情報を着呼側から受信する呼設定情報送受信過程と、
前記応答情報を受信したときに着呼側に音楽データを送信するよう要求する音楽データ要求過程と、
発呼側からの前記要求に応じて音楽データを発呼側に送信し、着呼側から送信された音楽データを受信する音楽データ送受信過程と、
前記音楽データ送受信過程によって受信された音楽データに基づいた呼出中音を再生する再生過程とを備えたことを特徴とする通話端末の着信／呼出中音再生方法。
【請求項１７】
自端末の識別情報と音楽データとを関連付けてサーバ装置に登録する情報登録過程と、
前記識別情報を含む呼設定のための呼設定情報を着呼側に送信し、前記呼設定情報を発呼側から受信する呼設定情報送受信過程と、
発呼側から送信された前記呼設定情報に含まれる発呼側の前記識別情報を前記サーバ装置に送信して、前記サーバ装置に発呼側の前記識別情報に関連付けられて登録された音楽データを送信するよう前記サーバ装置に要求する音楽データ要求過程と、
前記サーバ装置によって送信される音楽データを受信する音楽データ受信過程と、
前記音楽データ受信過程によって受信された音楽データに基づいた着信音を再生する再生過程とを備えたことを特徴とする通話端末の着信／呼出中音再生方法。
【請求項１８】
自端末の識別情報と音楽データとを関連付けてサーバ装置に登録する情報登録過程と、
前記識別情報を含む呼設定のための呼設定情報を着呼側に送信し、前記呼設定情報を発呼側から受信する呼設定情報送受信過程と、
着呼側から送信された前記呼設定情報に含まれる着呼側の前記識別情報をサーバ装置に送信して、前記サーバ装置に着呼側の前記識別情報に関連付けられて登録された音楽データを送信するよう前記サーバ装置に要求する音楽データ要求過程と、
前記サーバ装置によって送信される音楽データを受信する音楽データ受信過程と、
前記音楽データ受信過程によって受信された音楽データに基づいた呼出中音を再生する再生過程とを備えたことを特徴とする通話端末の着信／呼出中音再生方法。
【請求項１９】
前記サーバ装置は、
通話端末の識別情報と音楽データとを関連付けて記憶する情報記憶過程と、
通話端末からの要求に応じて前記情報記憶過程に記憶された音楽データを前記要求とともに送信される識別情報に基づいて検索する音楽データ検索過程と、
前記音楽データ検索手段によって検索された音楽データを前記要求を行った通話端末に送信する音楽データ送信過程とを備えたことを特徴とする請求項１７または請求項１８に記載の通話端末の着信／呼出中音再生方法。
【発明の詳細な説明】
【０００１】
【発明の属する技術分野】
本発明は、通話端末およびその着信／呼出中音再生方法に関し、例えば、発呼側から着呼側へ着信音を指定して着呼側に着信音を再生させる通信端末および着信／呼出中音再生方法に関するものである。
【０００２】
【従来の技術】
従来、通話端末における着信音再生方法としては、着呼側の通話端末において、発呼側の識別番号と音楽データとを対応付けて予め記憶し、着呼側に発呼側の識別番号に対応付けて記憶された音楽データに基づいた着信音を再生するものが知られている（例えば特許文献１参照）。
【０００３】
【特許文献１】
特開２００１−１６８９８９号公報。（特に００６９〜００７０）
【０００４】
【発明が解決しようとする課題】
しかしながら、このような従来の通話端末は、着呼側において予め記憶された音楽データに基づいた着信音が再生されるものであり、着信音を表す音楽データまたは音楽データを表す情報を発呼側から着呼側に指定して該音楽データを着呼側で再生させることができなかった。また、そのような通話端末はこれまでにはなかった。また、呼出中音の再生方法は画一のものでしかなかった。
【０００５】
本発明の目的は、着信音を表す音楽データまたは音楽データを表す情報を発呼側から着呼側に指定して該音楽データを着呼側で再生させることができ、呼出中音についても指定される音楽データを発呼側で再生できる通話端末、通話システムおよび着信／呼出中音再生方法を提供することにある。
【０００６】
【課題を解決するための手段】
本発明の請求項１に記載の通話端末は、呼設定のための呼設定情報を着呼側に送信し、前記呼設定情報を発呼側から受信する呼設定情報送受信手段と、前記呼設定情報送受信手段によって送信される前記呼設定情報に音楽データを添付する音楽データ添付手段と、前記呼設定情報送受信手段によって受信された前記呼設定情報に添付された音楽データに基づいた着信音を再生する再生手段とを備えた構成としている。
【０００７】
この構成または請求項１１に記載の着信／呼出中音再生方法により、発呼側から着呼側に呼設定情報とともに音楽データが送信され、着呼側において受信された音楽データに基づいた着信音が再生されるように設定されるため、発呼側から着呼側に指定した着信音を再生させることができる。。
【０００８】
また、本発明の請求項２に記載の通話端末は、呼設定のための呼設定情報に応答するための応答情報を発呼側に送信し、前記応答情報を着呼側から受信する呼設定情報送受信手段と、前記応答情報に音楽データを添付する音楽データ添付手段と、前記呼設定情報送受信手段によって受信された前記応答情報に添付された音楽データに基づいた呼出中音を再生する再生手段とを備えた構成としている。
【０００９】
この構成または請求項１２に記載の着信／呼出中音再生方法により、着呼側から発呼側に応答情報とともに音楽データが送信され、発呼側において受信された音楽データに基づいた呼出中音が再生されるように設定されるため、着呼側から発呼側に指定した呼出中音を再生させることができる。
【００１０】
また、本発明の請求項３に記載の通話端末は、呼設定のための呼設定情報を着呼側に送信し、前記呼設定情報を発呼側から受信する呼設定情報送受信手段と、前記呼設定情報送受信手段によって送信される前記呼設定情報に音楽データを取得するための情報サイトを表す情報を添付する情報添付手段と、前記呼設定情報送受信手段によって受信された前記呼設定情報に添付された音楽データを取得するための情報サイトを表す情報に基づいて前記情報サイトから音楽データを取得する音楽データ取得手段と、前記音楽データ取得手段によって取得された音楽データに基づいた着信音を再生する再生手段とを備えた構成としている。
【００１１】
この構成または請求項１３に記載の着信／呼出中音再生方法により、発呼側から着呼側に呼設定情報とともに音楽データを取得するためのサイト情報が送信され、着呼側において受信されたサイト情報に基づいて音楽データが取得され、取得された音楽データに基づいた着信音が再生される。このため、発呼側から着呼側に指定した着信音を再生させることができる。
【００１２】
また、本発明の請求項４に記載の通話端末は、呼設定のための呼設定情報に応答するための応答情報を発呼側に送信し、前記応答情報を着呼側から受信する呼設定情報送受信手段と、前記呼設定情報送受信手段によって送信される前記応答情報に音楽データを取得するための情報サイトを表す情報を添付する情報添付手段と、前記呼設定情報送受信手段によって受信された前記応答情報に添付された音楽データを取得するための情報サイトを表す情報に基づいて前記情報サイトから音楽データを取得する音楽データ取得手段と、前記音楽データ取得手段によって取得された音楽データに基づいた呼出中音を再生する再生手段とを備えた構成としている。
【００１３】
この構成または請求項１４に記載の着信／呼出中音再生方法により、着呼側から発呼側に応答情報とともに音楽データを取得するためのサイト情報が送信され、発呼側において受信されたサイト情報に基づいて音楽データが取得され、取得された音楽データに基づいた呼出中音が再生される。このため、着呼側から発呼側に指定した呼出中音を再生させることができる。
【００１４】
また、本発明の請求項５に記載の通話端末は、呼設定のための呼設定情報を着呼側に送信し、前記呼設定情報を発呼側から受信する呼設定情報送受信手段と、前記呼設定情報を受信したときに発呼側に音楽データを送信するよう要求する音楽データ要求手段と、着呼側からの前記要求に応じて音楽データを着呼側に送信し、発呼側から送信された音楽データを受信する音楽データ送受信手段と、前記音楽データ送受信手段によって受信された音楽データに基づいた着信音を再生する再生手段とを備えた構成としている。
【００１５】
この構成または請求項１５に記載の着信／呼出中音再生方法により、着呼側から発呼側に音楽データの送信が要求され、この要求に応じて発呼側から着呼側に送信された音楽データに基づいた着信音が再生される。このため、発呼側から着呼側に指定した着信音を再生させることができる。
【００１６】
また、本発明の請求項６に記載の通話端末は、呼設定のための呼設定情報に応答するための応答情報を発呼側に送信し、前記応答情報を着呼側から受信する呼設定情報送受信手段と、前記応答情報を受信したときに着呼側に音楽データを送信するよう要求する音楽データ要求手段と、発呼側からの前記要求に応じて音楽データを発呼側に送信し、着呼側から送信された音楽データを受信する音楽データ送受信手段と、前記音楽データ送受信手段によって受信された音楽データに基づいた呼出中音を再生する再生手段とを備えた構成としている。
【００１７】
この構成または請求項１６に記載の着信／呼出中音再生方法により、発呼側から着呼側に音楽データの送信が要求され、この要求に応じて着呼側から発呼側に送信された音楽データに基づいた呼出中音が再生される。このため、着呼側から発呼側に指定した呼出中音を再生させることができる。
【００１８】
また、本発明の請求項７に記載の通話端末は、自端末の識別情報と音楽データとを関連付けてサーバ装置に登録する情報登録手段と、前記識別情報を含む呼設定のための呼設定情報を着呼側に送信し、前記呼設定情報を発呼側から受信する呼設定情報送受信手段と、発呼側から送信された前記呼設定情報に含まれる発呼側の前記識別情報を前記サーバ装置に送信して、前記サーバ装置に発呼側の前記識別情報に関連付けられて登録された音楽データを送信するよう前記サーバ装置に要求する音楽データ要求手段と、前記サーバ装置によって送信される音楽データを受信する音楽データ受信手段と、前記音楽データ受信手段によって受信された音楽データに基づいた着信音を再生する再生手段とを備えた構成としている。
【００１９】
この構成または請求項１７に記載の着信／呼出中音再生方法により、着呼側からサーバ装置に音楽データの送信が要求され、この要求に応じてサーバ装置から着呼側に発呼側で登録された音楽データが送信され、着呼側において受信された音楽データに基づいた着信音が再生される。このため、発呼側から着呼側に指定した着信音を再生させることができる。
【００２０】
また、本発明の請求項８に記載の通話端末は、自端末の識別情報と音楽データとを関連付けてサーバ装置に登録する情報登録手段と、前記識別情報を含む呼設定のための呼設定情報を着呼側に送信し、前記呼設定情報を発呼側から受信する呼設定情報送受信手段と、着呼側から送信された前記呼設定情報に含まれる着呼側の前記識別情報をサーバ装置に送信して、前記サーバ装置に着呼側の前記識別情報に関連付けられて登録された音楽データを送信するよう前記サーバ装置に要求する音楽データ要求手段と、前記サーバ装置によって送信される音楽データを受信する音楽データ受信手段と、前記音楽データ受信手段によって受信された音楽データに基づいた呼出中音を再生する再生手段とを備えた構成としている。
【００２１】
この構成または請求項１８に記載の着信／呼出中音再生方法により、発呼側からサーバ装置に音楽データの送信が要求され、この要求に応じてサーバ装置から発呼側に着呼側で登録された音楽データが送信され、発呼側において受信された音楽データに基づいた呼出中音が再生される。このため、着呼側から発呼側に指定した呼出中音を再生させることができる。
【００２２】
また、本発明の請求項９に記載の通話端末は、前記サーバ装置が、通話端末の識別情報と音楽データとを関連付けて記憶する情報記憶手段と、通話端末からの要求に応じて前記情報記憶手段に記憶された音楽データを前記要求とともに送信される識別情報に基づいて検索する音楽データ検索手段と、前記音楽データ検索手段によって検索された音楽データを前記要求を行った通話端末に送信する音楽データ送信手段とを備えた構成としている。
【００２３】
この構成または請求項１９に記載の着信／呼出中音再生方法により、通話端末に音楽データを送信するサーバ装置を提供することができる。
【００２４】
また、本発明の請求項１０に記載の通話システムは、請求項７または請求項８に記載の複数の通話端末と、請求項９に記載のサーバ装置とを備えた構成としている。
【００２５】
この構成により、着呼側からサーバ装置に音楽データの送信が要求され、この要求に応じてサーバ装置から着呼側に発呼側で登録された音楽データが送信され、着呼側において受信された音楽データに基づいた着信音が再生される。このため、発呼側から着呼側に指定した着信音を再生させることができる通話システムを提供することができる。
【００２６】
【発明の実施の形態】
以下、本発明の実施の形態について、図面を参照して説明する。
【００２７】
まず、本発明の実施の形態の説明に先立ち、ＳＩＰ（Ｓｅｓｓｉｏｎ  Ｉｎｉｔｉａｔｉｏｎ  Ｐｒｏｔｏｃｏｌ）に基づいた通話における呼設定時の処理の流れと、呼設定時に発呼側の通話端末と着呼側の通話端末の間で取り交わされるメッセージの内容とについて説明する。
【００２８】
図１５に示すように、ＳＩＰに基づいた通話においては、まず、呼設定のための呼設定情報である「ＩＮＶＩＴＥ」メッセージが発呼側から着呼側へ送信され、それに応じた応答情報である「ＴＲＹＩＮＧ」メッセージが発呼側から着呼側へ送信される。その後、着呼側から「ＲＩＮＧＩＮＧ」メッセージが発呼側に送信され、このとき、発呼側では呼出中音が再生され、着呼側では着信音が再生される。
【００２９】
また、前述した呼設定情報および応答情報は、図１６に示すような予め決められた書式に基づいて生成されるようになっている。図１６において、ヘッダ部には、発呼側の識別情報および着呼側の識別情報などの通話を開始するために必要なメッセージが記載され、メッセージボディ部には、ヘッダ部に、記載された情報とは異なる情報が記載されるようになっている。
【００３０】
（第１の実施の形態）
図１に示すように、本発明の第１の実施の形態の通話端末１００は、呼設定情報送受信手段１０１と、音楽データ添付手段１０２と、再生手段１０３と、ネットワークインターフェイス１０４と、情報入力手段１０５と、通話手段１０６とを備えている。
【００３１】
呼設定情報送受信手段１０１は、発呼時に呼設定情報を生成し、呼設定情報を受信したときに応答情報を生成するようになっており、発呼時に着呼側への呼設定情報の送信、着呼時の発呼側からの呼設定情報の受信、着呼時に発呼側への応答情報の送信、および発呼時に着呼側からの応答情報の受信をネットワークインターフェイス１０４を介して行うようになっている。
【００３２】
音楽データ添付手段１０２は、音楽データを予め記憶するようになっており、呼設定情報送受信手段１０１が送信する呼設定情報に音楽データを添付するようになっている。また、音楽データ添付手段１０２は、呼設定情報送受信手段１０１が送信する応答情報に音楽データを添付するようになっている。なお、音楽データ添付手段１０２は、呼設定情報または応答情報に音楽データを添付するか否かを予め設定できるようになっていてもよい。ここで、音楽データの添付とは、例えばＭＩＤＩ（Ｍｕｓｉｃａｌ  Ｉｎｓｔｒｕｍｅｎｔ  Ｄｉｇｉｔａｌ  Ｉｎｔｅｒｆａｃｅ）ファイルのような音楽データを前述したメッセージボディ部に添付することをいう。
【００３３】
なお、音楽データ添付手段１０２は、複数の通話相手の識別情報にそれぞれ関連付けて複数の音楽データを記憶し、呼設定情報に音楽データを添付するに際して、着呼側の識別情報に応じて添付する音楽データを変更するようになっていてもよい。また、音楽データ添付手段１０２は、応答情報に音楽データを添付するに際して、発呼側の識別情報に応じて添付する音楽データを変更するようになっていてもよい。
【００３４】
再生手段１０３は、呼設定情報送受信手段１０１によって受信された呼設定情報に音楽データが添付されていたときに、添付された音楽データを取得して、取得した音楽データに基づいた着信音を再生するようになっている。また、再生手段１０３は、呼設定情報送受信手段１０１によって受信された応答情報に音楽データが添付されていたときに、添付された音楽データを取得して、取得した音楽データに基づいた呼出中音を再生するようになっている。なお、再生手段１０３は、呼設定情報送受信手段１０１によって受信された呼設定情報に音楽データが添付されていないときには、予め設定された通常の着信音を再生するようになっている。また、再生手段１０３は、呼設定情報送受信手段１０１によって受信された応答情報に音楽データが添付されていないときには、予め設定された通常の呼出中音を再生するようになっている。
【００３５】
ここで、再生手段１０３は、特定の識別情報を予め登録して、呼設定情報送受信手段１０１によって受信された呼設定情報に含まれる発呼側の識別情報が登録された識別情報である場合、または、呼設定情報送受信手段１０１によって受信された応答に含まれる発呼側の識別情報が登録された識別情報である場合には、添付された音楽データに基づいた着信音または呼出中音を再生しないようになっていてもよい。この場合には、再生手段１０３は、特定の識別情報を予め登録できるように構成される。
【００３６】
情報入力手段１０５は、呼設定時に着呼側の識別情報を入力するなど、必要な情報をユーザに入力させるようになっている。通話手段１０６は、呼設定終了後に発呼側と着呼側との通話をユーザに行わせるようになっている、
以下、本発明の第１の実施の形態の通話端末の動作について説明する。まず、発呼側から着呼側に呼設定情報を送信してから着信音を設定するまでの動作について、図２に示したフローチャートを参照して説明する。
【００３７】
まず、発呼側において、情報入力手段１０５を介してユーザによって着呼側端末の識別情報が入力され（Ｓ１１１）、呼設定情報送受信手段１０１によって呼設定情報が生成される。ここで、音楽データを添付するように設定されている場合には（Ｓ１１２）、音楽データ添付手段１０２によって呼設定情報に音楽データが添付され（Ｓ１１３）、音楽データが添付された呼設定情報が呼設定情報送受信手段１０１によって着呼側に送信される（Ｓ１１４）。また、音楽データを添付するように設定されていない場合には（Ｓ１１２）、音楽データが添付されていない呼設定情報が呼設定情報送受信手段１０１によって着呼側に送信される（Ｓ１１４）。
【００３８】
一方、着呼側において、発呼側から送信された呼設定情報が呼設定情報送受信手段１０１によって受信され（Ｓ１２１）、呼設定情報に音楽データが添付されている場合には（Ｓ１２２）、音楽データに基づいた着信音が再生手段１０３によって再生され（Ｓ１２３）、呼設定情報に音楽データが添付されていない場合には（Ｓ１２２）、通常の着信音が再生される（Ｓ１２４）。
【００３９】
次に、発呼側から着呼側に応答情報を送信してから呼出中音を設定するまでの動作について、図３に示したフローチャートを参照して説明する。
【００４０】
まず、発呼側において、呼設定情報送受信手段１０１によって呼設定情報が着呼側に送信され（Ｓ１３１）、着呼側において、呼設定情報送受信手段１０１によって呼設定情報が受信される（Ｓ１４１）。ここで、呼設定情報送受信手段１０１によって応答情報が生成され、応答情報に音楽データを添付するように設定されている場合には（Ｓ１４２）、応答情報に音楽データが添付され（Ｓ１４３）、音楽データが添付された応答情報が発呼側に送信される（Ｓ１４４）。また、応答情報に音楽データを添付するように設定されていない場合には（Ｓ１４２）、音楽データが添付されていない応答情報が発呼側に送信される（Ｓ１４４）。
【００４１】
一方、発呼側において、着呼側から送信された応答情報が呼設定情報送受信手段１０１によって受信され（Ｓ１３２）、応答情報に音楽データが添付されている場合には（Ｓ１３３）、音楽データに基づいた呼出中音が再生手段１０３によって再生され（Ｓ１３４）、応答情報に音楽データが添付されていない場合には（Ｓ１３３）、通常の呼出中音が再生される（Ｓ１３５）。
【００４２】
なお、着信音およぼ呼出中音の再生は、図１５に示したように、着呼側から「ＲＩＮＧＩＮＧ」メッセージが発呼側に送信された後に行われる。
【００４３】
以上説明したように、本発明の第１の実施の形態の通話端末は、発呼側から着呼側に呼設定情報とともに音楽データが送信され、着呼側において受信された音楽データに基づいた着信音が再生されるように設定されるため、発呼側から着呼側に指定した着信音を再生させることができる。
【００４４】
さらに、着呼側から発呼側に応答情報とともに音楽データが送信され、発呼側において受信された音楽データに基づいた呼出中音が再生されるように設定されるため、着呼側から発呼側に指定した呼出中音を再生させることができる。
【００４５】
（第２の実施の形態）
以下、本発明の第２の実施の形態の通話端末およびその着信／呼出中音の再生方法について説明する。
【００４６】
図４に示すように、本発明の第２の実施の形態の通話端末２００は、呼設定情報送受信手段１０１と、ネットワークインターフェイス１０４と、情報入力手段１０５と、通話手段１０６と、情報添付手段２０７と、音楽データ取得手段２０８と、再生手段２０９とを備えている。
【００４７】
ここで、本発明の第２の実施の形態の通話端末２００を構成する構成手段のうち、上述した本発明の第１の実施の形態の通話端末１００における構成手段と同様の処理を行うものには同一の符号を付し、その説明を省略する。
【００４８】
情報添付手段２０７は、音楽データを取得するための情報サイトを表すサイト情報を予め記憶するようになっており、呼設定情報送受信手段１０１が送信する呼設定情報にサイト情報を添付するようになっている。また、情報添付手段２０７は、呼設定情報送受信手段１０１が送信する応答情報にサイト情報を添付するようになっている。なお、情報添付手段２０７は、呼設定情報または応答情報にサイト情報を添付するか否かを予め設定できるようになっていてもよい。
【００４９】
ここで、サイト情報とは、より具体的には、音楽データを配信している外部サーバにおける特定の音楽をダウンロードするためのＵＲＬ（Ｕｎｉｆｏｒｍ  Ｒｅｓｏｕｒｃｅ  Ｌｏｃａｔｏｒ）情報のことをいう。なお、音楽データを配信するのは、外部サーバではなくてもよく、通話端末２００自体が音楽データを配信するためのサーバ機能を有しているのでもよい。
【００５０】
なお、情報添付手段２０７は、複数の通話相手の識別情報にそれぞれ関連付けて複数のサイト情報を記憶し、呼設定情報にサイト情報を添付するに際して、着呼側の識別情報に応じて添付するサイト情報を変更するようになっていてもよい。また、情報添付手段２０７は、応答情報にサイト情報を添付するに際して、発呼側の識別情報に応じて添付するサイト情報を変更するようになっていてもよい。すなわち、着呼側および発呼側の識別情報に応じて取得させる音楽データを変更させるようになっていてもよい。
【００５１】
音楽データ取得手段２０８は、呼設定情報送受信手段１０１によって受信された呼設定情報または応答情報にサイト情報が添付されていたときに、添付されたサイト情報に表された情報サイトから音楽データを取得するようになっている。ここで、音楽データ取得手段２０８は、特定の識別情報を予め登録して、呼設定情報送受信手段１０１によって受信された呼設定情報に含まれる発呼側の識別情報が登録された識別情報である場合、または、呼設定情報送受信手段１０１によって受信された応答情報に含まれる発呼側の識別情報が登録された識別情報である場合には、添付されたサイト情報によって表される情報サイトから音楽データを取得しないようになっていてもよい。この場合には、音楽データ取得手段２０８は、特定の識別情報を予め登録できるように構成される。
【００５２】
再生手段２０９は、通話端末２００が着呼側であり音楽データ取得手段２０８によって音楽データが取得されたときに、音楽データ取得手段２０８によって取得された音楽データに基づいた着信音を再生するようになっている。また、再生手段２０９は、通話端末２００が発呼側であり音楽データ取得手段２０８によって音楽データが取得されたときに、この音楽データに基づいた呼出中音を再生するようになっている。
【００５３】
なお、再生手段２０９は、通話端末２００が着呼側であり音楽データ取得手段２０８によって音楽データが取得されたなかったときには、予め設定された通常の着信音を再生するようになっている。また、音楽データ取得手段２０８は、通話端末２００が発呼側であり音楽データ取得手段２０８によって音楽データが取得されたなかったときには、予め設定された通常の呼出中音を再生するようになっている。
【００５４】
以下、本発明の第２の実施の形態の通話端末の動作について説明する。
【００５５】
まず、発呼側から着呼側に呼設定情報を送信してから着呼側の着信音を設定するまでの動作について、図５に示したフローチャートを参照して説明する。
【００５６】
まず、発呼側において、情報入力手段１０５を介してユーザによって着呼側端末の識別情報が入力され（Ｓ２１１）、呼設定情報送受信手段１０１によって呼設定情報が生成される。ここで、サイト情報を添付するように設定されている場合には（Ｓ２１２）、情報添付手段２０７によって呼設定情報にサイト情報が添付され（Ｓ２１３）、サイト情報が添付された呼設定情報が呼設定情報送受信手段１０１によって着呼側に送信される（Ｓ２１４）。また、音楽データを添付するように設定されていない場合には（Ｓ２１２）、サイト情報が添付されていない呼設定情報が呼設定情報送受信手段１０１によって着呼側に送信される（Ｓ２１４）。
【００５７】
一方、着呼側において、発呼側から送信された呼設定情報が呼設定情報送受信手段１０１によって受信され（Ｓ２２１）、呼設定情報にサイト情報が添付されている場合には（Ｓ２２２）、サイト情報によって表される情報サイトから音楽データが音楽データ取得手段２０８によって取得され（Ｓ２２３）、取得された音楽データに基づいた着信音が再生手段２０９によって再生される（Ｓ２２４）。また、呼設定情報にサイト情報が添付されていない場合には（Ｓ２２２）、通常の着信音が再生される（Ｓ２２５）。
【００５８】
次に、発呼側から着呼側に応答情報を送信して発呼側の呼出中音を設定するまでの動作について、図６に示したフローチャートを参照して説明する。
【００５９】
まず、発呼側において、呼設定情報送受信手段１０１によって呼設定情報が着呼側に送信され（Ｓ２３１）、着呼側において、呼設定情報送受信手段１０１によって呼設定情報が受信される（Ｓ２４１）。ここで、呼設定情報送受信手段１０１によって応答情報が生成され、応答情報にサイト情報を添付するように設定されている場合には（Ｓ２４２）、情報添付手段２０７によって応答情報にサイト情報が添付され（Ｓ２４３）、サイト情報が添付された応答情報が発呼側に送信される（Ｓ２４４）。また、応答情報にサイト情報を添付するように設定されていない場合には（Ｓ２４２）、サイト情報が添付されていない応答情報が発呼側に送信される（Ｓ２４４）。
【００６０】
一方、発呼側において、着呼側から送信された応答情報が呼設定情報送受信手段１０１によって受信され（Ｓ２３２）、応答情報にサイト情報が添付されている場合には（Ｓ２３３）、サイト情報によって表される情報サイトから音楽データが音楽データ取得手段２０８によって取得され（Ｓ２３４）、取得された音楽データに基づいた呼出中音が再生手段２０９によって再生される（Ｓ２３５）。また、応答情報に音楽データが添付されていない場合には（Ｓ２３３）、通常の呼出中音が再生される（Ｓ２３６）。
【００６１】
なお、着信音および呼出中音の再生は、図１５に示したように、着呼側から「ＲＩＮＧＩＮＧ」メッセージが発呼側に送信された後に行われる。
【００６２】
以上説明したように、本発明の第２の実施の形態の通話端末は、発呼側から着呼側に呼設定情報とともに音楽データを取得するためのサイト情報が送信され、着呼側において受信されたサイト情報に基づいて音楽データが取得され、取得された音楽データに基づいた着信音が再生される。このため、発呼側から着呼側に指定した着信音を再生させることができる。
【００６３】
さらに、着呼側から発呼側に応答情報とともに音楽データを取得するためのサイト情報が送信され、発呼側において受信されたサイト情報に基づいて音楽データが取得され、取得された音楽データに基づいた呼出中音が再生される。このため、着呼側から発呼側に指定した呼出中音を再生させることができる。
【００６４】
（第３の実施の形態）
以下、本発明の第３の実施の形態の通話端末およびその着信／呼出中音の再生方法について説明する。
【００６５】
図７に示すように、本発明の第３の実施の形態の通話端末３００は、呼設定情報送受信手段１０１と、ネットワークインターフェイス１０４と、情報入力手段１０５と、通話手段１０６と、音楽データ要求手段３１０と、音楽データ記憶手段３１１と、音楽データ送受信手段３１２と、再生手段３１３とを備えている。
【００６６】
ここで、本発明の第３の実施の形態の通話端末３００を構成する構成手段のうち、上述した本発明の第１の実施の形態の通話端末１００における構成手段と同様の処理を行うものには同一の符号を付し、その説明を省略する。
【００６７】
音楽データ要求手段３１０は、呼設定情報送受信手段１０１によって呼設定情報が受信されたときに、呼設定情報送受信手段１０１が受信した呼設定情報に含まれる発呼側の識別情報に基づいて、発呼側に音楽データの送信を要求するようになっている。また、音楽データ要求手段３１０は、呼設定情報送受信手段１０１によって応答情報が受信されたときに、呼設定情報送受信手段１０１が受信した応答情報に含まれる着呼側の識別情報に基づいて、着呼側に音楽データの送信を要求するようになっている。なお、音楽データ要求手段３１０は、呼設定情報または応答情報を受信したことに応じて音楽データの送信を要求するか否かを予め設定できるようになっていてもよい。
【００６８】
ここで、音楽データ要求手段３１０は、特定の識別情報を予め登録して、呼設定情報送受信手段１０１によって受信された呼設定情報に含まれる発呼側の識別情報が登録された識別情報である場合、または、呼設定情報送受信手段１０１によって受信された応答に含まれる発呼側の識別情報が登録された識別情報である場合には、音楽データの送信を要求しないようになっていてもよい。この場合には、音楽データ要求手段３１０は、特定の識別情報を予め登録できるように構成される。
【００６９】
なお、音楽データの送信の要求は、より具体的には、ＳＩＰのＩＮＦＯコマンド（ＲＦＣ２９７６）の規約に基づいて行われる。
【００７０】
音楽データ記憶手段３１１は、音楽データを予め記憶するようになっている。なお、音楽データ記憶手段３１１は、複数の通話相手の識別情報にそれぞれ関連付けて複数の音楽データを記憶するようになっていてもよい。
【００７１】
音楽データ送受億手段３１２は、発呼側または着呼側からの音楽データの送信の要求を受信するようになっており、発呼側または着呼側から音楽データの送信が要求されたときに、音楽データ記憶手段３１１に記憶された音楽データを発呼側または着呼側に送信するようになっている。また、音楽データ送受信手段３１２は、発呼側または着呼側から送信された音楽データを受信するようになっている。
【００７２】
ここで、音楽データ送受信手段３１２は、音楽データ記憶手段３１１に複数の音楽データが複数の通話相手の識別情報にそれぞれ関連付けられて記憶されている場合には、音楽データを送信する先の端末の識別情報に応じて、関連付けられた音楽データを音楽データ記憶手段３１１から読み出し、読み出された音楽データを送信するようになっていてもよい。
【００７３】
再生手段３１３は、通話端末３００が着呼側であり音楽データ送受信手段３１２によって音楽データが受信されたときに、音楽データ送受信手段３１２によって受信された音楽データに基づいた着信音を再生するようになっている。また、再生手段３１３は、通話端末３００が発呼側であり音楽データ送受信手段３１２によって音楽データが受信されたときに音楽データ送受信手段３１２によって取得された音楽データに基づいた呼出中音を再生するようになっている。
【００７４】
なお、再生手段３１３は、通話端末３００が着呼側であり音楽データ送受信手段３１２によって音楽データが受信されなかったときには、予め設定された通常の着信音を再生するようになっている。また、再生手段３１３は、通話端末３００が発呼側であり音楽データ送受信手段３１２によって音楽データが受信されなかったときには、予め設定された通常の呼出中音を再生するようになっている。
【００７５】
以下、本発明の第３の実施の形態の通話端末の動作について説明する。
【００７６】
まず、発呼側から着呼側に呼設定情報を送信してから着呼側の着信音を設定するまでの動作について、図８に示したフローチャートを参照して説明する。
【００７７】
まず、発呼側において、情報入力手段１０５を介してユーザによって着呼側端末の識別情報が入力され、呼設定情報送受信手段１０１によって呼設定情報が生成され、呼設定情報が呼設定情報送受信手段１０１によって着呼側に送信される（Ｓ３１１）。ここで、着呼側において、呼設定情報が呼設定情報送受信手段１０１によって受信され（Ｓ３２１）、音楽データ要求手段３１０によって発呼側への音楽データの送信の要求が行われる（Ｓ３２２）。
【００７８】
次に、発呼側において、着呼側からの音楽データの送信の要求が音楽データ送受信手段３１２によって受信され（Ｓ３１２）、音楽データ記憶手段３１１に音楽データが記憶されている場合には（Ｓ３１３）、音楽データ送受信手段３１２によって着呼側に音楽データが送信される（Ｓ３１４）。次いで、着呼側において、発呼側から送信された音楽データが音楽データ送受信手段３１２によって受信された場合には（Ｓ３２３）、受信された音楽データに基づいた着信音が再生手段３１３によって再生される（Ｓ３２４）。一方、発呼側から音楽データが送信されなかった場合、すなわち、音楽データを受信しなかった場合には（Ｓ３２３）、通常の着信音が再生手段３１３によって再生される（Ｓ３２５）。
【００７９】
次に、発呼側から着呼側に応答情報を送信してから発呼側の呼出中音を設定するまでの動作について、図９に示したフローチャートを参照して説明する。
【００８０】
まず、発呼側において、呼設定情報送受信手段１０１によって呼設定情報が着呼側に送信され（Ｓ３３１）、着呼側において、呼設定情報送受信手段１０１によって呼設定情報が受信され（Ｓ３４１）、これに対して発呼側に応答信号が送信される（Ｓ３４２）。ここで、発呼側において、応答情報が呼設定情報送受信手段１０１によって受信され（Ｓ３３２）、音楽データ要求手段３１０によって着呼側への音楽データの送信の要求が行われる（Ｓ３３３）。
【００８１】
次に、着呼側において、発呼側からの音楽データの送信の要求が音楽データ送受信手段３１２によって受信され（Ｓ３４３）、音楽データ記憶手段３１１に音楽データが記憶されている場合には（Ｓ３４４）、音楽データ送受信手段３１２によって発呼側に音楽データが送信される（Ｓ３４５）。
【００８２】
次いで、発呼側において、着呼側から送信された音楽データが音楽データ送受信手段３１２によって受信された場合には（Ｓ３３４）、受信された音楽データに基づいた呼出中音が再生手段３１３によって再生される（Ｓ３３５）。一方、発呼側から音楽データが送信されなかった場合、すなわち、音楽データを受信しなかった場合には（Ｓ３３４）、通常の呼出中音が再生手段３１３によって再生される（Ｓ３３６）。
【００８３】
なお、着信音および呼出中音の再生は、図１５に示したように、着呼側から「ＲＩＮＧＩＮＧ」メッセージが発呼側に送信された後に行われる。
【００８４】
以上説明したように、本発明の第３の実施の形態の通話端末は、着呼側から発呼側に音楽データの送信が要求され、この要求に応じて発呼側から着呼側に送信された音楽データに基づいた着信音が再生される。このため、発呼側から着呼側に指定した着信音を再生させることができる。
【００８５】
さらに、発呼側から着呼側に音楽データの送信が要求され、この要求に応じて着呼側から発呼側に送信された音楽データに基づいた呼出中音が再生される。このため、着呼側から発呼側に指定した呼出中音を再生させることができる。
【００８６】
（第４の実施の形態）
以下、本発明の第４の実施の形態の通話端末およびその着信／呼出中音の再生方法について説明する。
【００８７】
図１０に示すように、本発明の第４の実施の形態の通話端末４００は、呼設定情報送受信手段１０１と、ネットワークインターフェイス１０４と、情報入力手段１０５と、通話手段１０６と、記憶手段４１４と、情報登録手段４１５と、音楽データ要求手段４１６と、音楽データ受信手段４１７と、再生手段４１８とを備えている。
【００８８】
ここで、本発明の第４の実施の形態の通話端末４００を構成する構成手段のうち、上述した本発明の第１の実施の形態の通話端末１００における構成手段と同様の処理を行うものには同一の符号を付し、その説明を省略する。
【００８９】
記憶手段４１４は、音楽データを記憶するようになっている。情報登録手段４１５は、自端末の識別情報と音楽データとを後述するサーバ装置５００に送信して、自端末用の音楽データをサーバ装置５００に登録するようになっている。なお、情報登録手段４１５は、サーバ装置５００が音楽データの送信先の端末ごとに送信する音楽データを変更することができるように構成されている場合には、自端末の識別情報と音楽データと音楽データの送信先である端末の識別情報とを送信して、音楽データを登録するようになっていてもよい。
【００９０】
音楽データ要求手段４１６は、呼設定情報送受信手段１０１によって呼設定情報が受信されたときに、呼設定情報送受信手段１０１が受信した呼設定情報に含まれる発呼側の識別情報と音楽データの送信の要求とをサーバ装置５００に送信するようになっている。なお、音楽データ要求手段４１６は、サーバ装置５００に音楽データの送信を要求するか否かを予め設定できるようになっていてもよい。音楽データ要求手段４１６は、呼設定情報送受信手段１０１によって呼設定情報が送信されたときに、呼設定情報送受信手段１０１が送信した呼設定情報に含まれる着呼側の識別情報と音楽データの送信の要求とをサーバ装置５００に送信するようになっている。
【００９１】
ここで、音楽データ要求手段４１６は、特定の識別情報を予め登録して、呼設定情報送受信手段１０１によって受信された呼設定情報に含まれる発呼側の識別情報が登録された識別情報である場合には、サーバ装置５００に音楽データの送信を要求しないようになっていてもよい。また、音楽データ要求手段４１６は、呼設定情報送受信手段１０１によって送信された呼設定情報に含まれる着呼側の識別情報が登録された識別情報である場合には、サーバ装置５００に音楽データの送信を要求しないようになっていてもよい。なお、この場合には、音楽データ要求手段４１６は、特定の識別情報を予め登録できるように構成される。
【００９２】
音楽データ受信手段４１７は、サーバ装置から送信された音楽データを受信するようになっている。
【００９３】
再生手段４１８は、通話端末４００が着呼側であり音楽データ受信手段４１７によって音楽データが受信されたときに、音楽データ受信手段４１７によって受信された音楽データに基づいた着信音を再生するようになっている。また、再生手段４１８は、通話端末４００が発呼側であり音楽データ受信手段４１７によって音楽データが受信されたときに音楽データ受信手段４１７によって取得された音楽データに基づいた呼出中音を再生するようになっている。
【００９４】
なお、再生手段４１８は、通話端末４００が着呼側であり音楽データ受信手段４１７によって音楽データが受信されなかったときには、予め設定された通常の着信音を再生するようになっている。また、再生手段４１８は、通話端末４００が発呼側であり音楽データ受信手段４１７によって音楽データが受信されなかったときには、予め設定された通常の呼出中音を再生するようになっている。
【００９５】
次に、本発明の第４の実施の形態のサーバ装置５００について説明する。
【００９６】
図１１に示すように、本発明の第４の実施の形態のサーバ装置５００は、ネットワークインターフェイス５１９と、情報記憶手段５２０と、音楽データ検索手段５２１と、音楽データ送信手段５２２とを備えている。
【００９７】
情報記憶手段５２０は、通話端末４００によって送信された音楽データと音楽データの送信元の端末の識別情報とを受信し、音楽データと音楽データの送信元の端末の識別情報とを関連付けて記憶するようになっている。なお、情報記憶手段５２０は、さらに、音楽データと音楽データの送信元の端末の識別情報と音楽データの送信先の識別情報とを関連付けて記憶するようになっていてもよい。
【００９８】
音楽データ検索手段５２１は、通話端末４００によって送信された識別情報、すなわち音楽データの送信元の識別情報と音楽データの送信の要求とを受信し、音楽データの送信元の識別情報に基づいて音楽データを検索するようになっている。なお、情報記憶手段５２０が音楽データと音楽データの送信元の端末の識別情報と音楽データの送信先の識別情報とを関連付けて記憶するようになっている場合には、音楽データの送信元の識別情報と音楽データの送信先、すなわち音楽データの送信を要求した端末の識別情報とに基づいて音楽データを検索するようになっていてもよい。
【００９９】
音楽データ送信手段５２２は、音楽データ検索手段５２１によって検索された音楽データを音楽データの送信を要求した通話端末４００に送信するようになっている。なお、サーバ装置５００は、いわゆる、ＥＮＵＭサーバまたはＳＩＰ−Ｐｒｏｘｙサーバによって構成される。
【０１００】
以下、本発明の第４の実施の形態の通話端末およびサーバ装置の動作について説明する。
【０１０１】
まず、通話端末からサーバ装置への音楽データの登録の流れについて図１２に示したフローチャートを参照して説明する。
【０１０２】
通話端末４００の情報登録手段４１５から記憶手段４１４に記憶された音楽データと自端末の識別情報とが送信され（Ｓ４１１）、サーバ装置５００の情報記憶手段５２０によって音楽データと音楽データの送信元の端末の識別情報が受信され（Ｓ４１２）、サーバ装置５００の情報記憶手段５２０によって音楽データと音楽データの送信元の端末の識別情報が関連付けて記憶される（Ｓ４１３）。
【０１０３】
次に、発呼側から着呼側に呼設定情報を送信してから着呼側の着信音を設定するまでの動作について、図１３に示したフローチャートを参照して説明する。
【０１０４】
まず、発呼側の通話端末４００において、情報入力手段１０５を介してユーザによって着呼側端末の識別情報が入力され、呼設定情報送受信手段１０１によって呼設定情報が生成され、呼設定情報が呼設定情報送受信手段１０１によって着呼側に送信される（Ｓ４２１）。ここで、着呼側において、呼設定情報が呼設定情報送受信手段１０１によって受信され（Ｓ４３１）、音楽データ要求手段４１６によって発呼側の識別情報と音楽データの送信の要求とがサーバ装置５００に送信される（Ｓ４３２）。
【０１０５】
次に、サーバ装置５００において、着呼側の通話端末４００から送信された発呼側の通話端末４００の識別情報と音楽データの送信の要求が音楽データ検索手段５２１によって受信され（Ｓ４４１）、発呼側の通話端末４００の識別情報に関連付けられた音楽データが音楽データ検索手段５２１によって検索される（Ｓ４４２）。情報記憶手段５２０に音楽データが記憶されている場合には（Ｓ４４２）、該当する音楽データが音楽データ送信手段５２２によって着呼側の通話端末４００に送信される（Ｓ４４３）。
【０１０６】
次いで、着呼側の通話端末４００において、サーバ装置５００から送信された音楽データが音楽データ受信手段４１７によって受信された場合には（Ｓ４３３）、受信された音楽データに基づいた着信音が再生手段４１８によって再生される（Ｓ４３４）。一方、サーバ装置５００から音楽データが送信されなかった場合、すなわち、音楽データを受信しなかった場合には（Ｓ４３３）、通常の着信音が再生手段４１８によって再生される（Ｓ４３５）。
【０１０７】
次に、発呼側から着呼側に呼設定情報を送信してから発呼側の呼出中音を設定するまでの動作について、図１４に示したフローチャートを参照して説明する。
【０１０８】
まず、発呼側の通話端末４００において、呼設定情報送受信手段１０１によって呼設定情報が着呼側に送信され（Ｓ４５１）、音楽データ要求手段４１６によって着呼側の識別情報と音楽データの送信の要求とがサーバ装置５００に送信される（Ｓ４５２）。
【０１０９】
次に、サーバ装置５００において、発呼側の通話端末４００から送信された着呼側の通話端末４００の識別情報と音楽データの送信の要求が音楽データ検索手段５２１によって受信され（Ｓ４６１）、着呼側の通話端末４００の識別情報に関連付けられた音楽データが音楽データ検索手段５２１によって検索される（Ｓ４６２）。情報記憶手段５２０に音楽データが記憶されている場合には（Ｓ４６２）、該当する音楽データが音楽データ送信手段５２２によって発呼側の通話端末４００に送信される（Ｓ４６３）。
【０１１０】
次いで、発呼側の通話端末４００において、サーバ装置５００から送信された音楽データが音楽データ受信手段４１７によって受信された場合には（Ｓ４５３）、受信された音楽データに基づいた呼出中音が再生手段４１８によって再生される（Ｓ４５４）。一方、サーバ装置５００から音楽データが送信されなかった場合、すなわち、音楽データを受信しなかった場合には（Ｓ４５３）、通常の呼出中音が再生手段４１８によって再生される（Ｓ４５５）。
【０１１１】
なお、着信音および呼出中音の再生は、図１５に示したように、着呼側から「ＲＩＮＧＩＮＧ」メッセージが発呼側に送信された後に行われる。
【０１１２】
以上説明したように、本発明の第４の実施の形態の通話端末およびサーバ装置は、着呼側からサーバ装置に音楽データの送信が要求され、この要求に応じてサーバ装置から着呼側に発呼側で登録された音楽データが送信され、着呼側において受信された音楽データに基づいた着信音が再生される。このため、発呼側から着呼側に指定した着信音を再生させることができる。
【０１１３】
さらに、発呼側からサーバ装置に音楽データの送信が要求され、この要求に応じてサーバ装置から発呼側に着呼側で登録された音楽データが送信され、発呼側において受信された音楽データに基づいた呼出中音が再生される。このため、着呼側から発呼側に指定した呼出中音を再生させることができる。
【０１１４】
なお、本発明の第４の実施の形態の複数の通話端末とサーバ装置とによって通話システムを構成してもよい。
【０１１５】
【発明の効果】
以上説明したように、本発明は、着信音を表す音楽データまたは音楽データを表す情報を発呼側から着呼側に指定して該音楽データを着呼側で再生させることができ、さらには呼出中音を発呼側で再生することができ、着信音あるいは呼出中音を自由に設定できる効果がある。
【図面の簡単な説明】
【図１】本発明の第１の実施の形態の通話端末の構成のブロック図。
【図２】本発明の第１の実施の形態の通話端末に係る発呼側から着呼側に呼設定情報を送信してから着呼側の着信音を設定するまでの動作の流れのフローチャート。
【図３】本発明の第１の実施の形態の通話端末に係る発呼側から着呼側に呼設定情報を送信してから着呼側の呼出中音を設定するまでの動作の流れのフローチャート。
【図４】本発明の第２の実施の形態の通話端末の構成のブロック図。
【図５】本発明の第２の実施の形態の通話端末に係る発呼側から着呼側に呼設定情報を送信してから着呼側の着信音を設定するまでの動作の流れのフローチャート。
【図６】本発明の第２の実施の形態の通話端末に係る発呼側から着呼側に呼設定情報を送信してから着呼側の呼出中音を設定するまでの動作の流れのフローチャート。
【図７】本発明の第３の実施の形態の通話端末の構成のブロック図。
【図８】本発明の第３の実施の形態の通話端末に係る発呼側から着呼側に呼設定情報を送信してから着呼側の着信音を設定するまでの動作の流れのフローチャート。
【図９】本発明の第３の実施の形態の通話端末に係る発呼側から着呼側に呼設定情報を送信してから着呼側の呼出中音を設定するまでの動作の流れのフローチャート。
【図１０】本発明の第４の実施の形態の通話端末の構成のブロック図。
【図１１】本発明の第４の実施の形態のサーバ装置の構成のブロック図。
【図１２】本発明の第４の実施の形態の通話端末およびサーバ装置に係る通話端末からサーバ装置への音楽データの登録の流れのフローチャート。
【図１３】本発明の第４の実施の形態における発呼側から着呼側に呼設定情報を送信してから着呼側の着信音を設定するまでの動作の流れのフローチャート。
【図１４】本発明の第４の実施の形態における発呼側から着呼側に呼設定情報を送信してから着呼側の呼出中音を設定するまでの動作の流れのフローチャート。
【図１５】インターネット電話における呼の確立までの流れを例示する図。
【図１６】ＳＩＰにおける「ＩＮＶＩＴＥ」メッセージの記載を例示する図。
【符号の説明】
１００、２００、３００、４００…通話端末
１０１…呼設定情報送受信手段
１０２…音楽データ添付手段
１０３、２０９、３１３、４１８…再生手段
１０４、５１９…ネットワークインターフェイス
１０５…情報入力手段
１０６…通話手段
２０７…情報添付手段
２０８…音楽データ取得手段
３１０、４１６…音楽データ要求手段
３１１…音楽データ記憶手段
３１２…音楽データ送受信手段
４１４…記憶手段
４１５…情報登録手段
４１７…音楽データ受信手段
５００…サーバ装置
５２０…情報記憶手段
５２１…音楽データ検索手段
５２２…音楽データ送信手段
【図１】
2004312316.tif 000003
【図２】
2004312316.tif 000004
【図３】
2004312316.tif 000005
【図４】
2004312316.tif 000006
【図５】
2004312316.tif 000007
【図６】
2004312316.tif 000008
【図７】
2004312316.tif 000009
【図８】
2004312316.tif 000010
【図９】
2004312316.tif 000011
【図１０】
2004312316.tif 000012
【図１１】
2004312316.tif 000013
【図１２】
2004312316.tif 000014
【図１３】
2004312316.tif 000015
【図１４】
2004312316.tif 000016
【図１５】
2004312316.tif 000017
【図１６】
2004312316.tif 000018